(57)【要約】【課題】  多機能カジュアルシューズを提供する。【解決手段】  多機能カジュアルシューズは、アッパー５、保護体４、係止ユニット２、滑り止めユニット１および取り巻き体３およびアウトソール６を備える。滑り止めユニット１は係止ユニット２の係止に用いる複数のスリット１１を有する。相互に嵌合された係止ユニット２および滑り止めユニット１は取り巻き体３内に配置され、その上に射出成型された保護体４を有する。アウトソール６は結合した取り巻き体３とアッパー５に射出成型によって形成される。従って、多機能カジュアルシューズは防水および防滑機能を有し、履き心地がなく、丈夫で長持ちする。【選択図】図１
2014502549.tif 000002
【特許請求の範囲】
【請求項１】
滑り止めユニット、係止ユニット、取り巻き体、保護体、アッパー、および、アウトソールを備え、
前記滑り止めユニットは、適切な部位にスリットを有し、スリットは両端に抑制部を有し、
前記係止ユニットは、前記滑り止めユニットの前記スリット内に嵌め込まれており、係止部よび制限部を有し、
前記取り巻き体は、側縁に形成されているリブ、および、底部に形成されている複数の溝孔を有し、
前記保護体は、前記取り巻き体の上方に配置されており、
前記アッパーは、用途および機能に基づいて高さが調整可能であり、前記滑り止めユニット、前記係止ユニット、および、前記保護体が装着されている前記取り巻き体と結合しており、
前記アウトソールは、作業台を利用して前記アッパーおよび前記取り巻き体の表面に熱溶融性材料を被せることによって一体形成され、かつ前記滑り止めユニットおよび前記係止ユニットを底部に突出させることを特徴とする多機能カジュアルシューズ。
【請求項２】
前記滑り止めユニットは、滑り止め効果を有する軟性材質から形成されていることを特徴とする請求項１に記載の多機能カジュアルシューズ。
【請求項３】
前記係止ユニットは、剛性材料から形成されていることを特徴とする請求項１に記載の多機能カジュアルシューズ。
【請求項４】
前記係止部は、幅が前記滑り止めユニットの幅より大きく形成されており、
前記係止ユニットは、前記滑り止めユニットの前記スリット内に係止され、制限部の側面を前記滑り止めユニットの側面に突出させることができることを特徴とする請求項１に記載の多機能カジュアルシューズ。
【請求項５】
前記アッパーと前記取り巻き体とを組み合わせる方法は、縫合加工、熱プレス加工、または、接着加工であることを特徴とする請求項１に記載の多機能カジュアルシューズ。
【請求項６】
前記保護体は、前記取り巻き体内で凹んだ底面の上側に射出成形によって形成される、または、あらかじめ作られている独立の部品であることを特徴とする請求項１に記載の多機能カジュアルシューズ。
【請求項７】
前記アッパーと前記取り巻き体との間には、空間が形成されていることを特徴とする請求項１に記載の多機能カジュアルシューズ。
【請求項８】
滑り止めユニット、係止ユニット、取り巻き体、保護体、アッパー、および、アウトソールを備え、
前記滑り止めユニットは、適切な部位にスリットを有し、スリットは両端に抑制部を有し、
前記係止ユニットは、前記滑り止めユニットの前記スリット内に嵌め込まれており、係止部および制限部を有し、
前記取り巻き体は、側縁に形成されているリブ、ならびに、底部を貫通する複数の溝孔および係止孔を有し、
前記保護体は、下側の取り巻き体の前記係止孔に対応する部位に前記係止孔に係止可能な突起柱が形成されており、当該突起柱の前端に前記突起柱が前記係止孔から逸脱することを抑制する突起部が形成されており、
前記アッパーは、用途および機能に基づいて高さが調整可能であり、前記滑り止めユニット、前記係止ユニットおよび前記保護体が装着されている前記取り巻き体と結合しており、
前記アウトソールは、作業台を利用して前記アッパーおよび前記取り巻き体の表面に熱溶融性材料を被せることによって一体形成され、かつ前記滑り止めユニットおよび前記係止ユニットを底部に突出させることを特徴とする多機能カジュアルシューズ。
【請求項９】
前記滑り止めユニットは、滑り止め効果を有する軟性材質から形成されていることを特徴とする請求項８に記載の多機能カジュアルシューズ。
【請求項１０】
前記係止ユニットは、剛性材料から形成されることを特徴とする請求項８に記載の多機能カジュアルシューズ。
【請求項１１】
前記係止部は、幅が前記滑り止めユニットの幅より大きく形成されており、
前記係止ユニットは、前記滑り止めユニットの前記スリット内に係止され、制限部の側面を前記滑り止めユニットの側面に突出させることができることを特徴とする請求項８に記載の多機能カジュアルシューズ。
【請求項１２】
前記保護体は、前記取り巻き体内で凹んだ底面の上側に射出成形によって形成される、または、あらかじめ作られている独立の部品であることを特徴とする請求項８に記載の多機能カジュアルシューズ。
【請求項１３】
前記アッパーと前記取り巻き体とを組み合わせる方法は、縫合加工、熱プレス加工、または接着加工であることを特徴とする請求項８に記載の多機能カジュアルシューズ。
【請求項１４】
前記アッパーと前記取り巻き体との間には、空間が形成されていることを特徴とする請求項８に記載の多機能カジュアルシューズ。
【発明の詳細な説明】
【技術分野】
【０００１】
本発明は、多機能カジュアルシューズの構造を改良する技術に関し、防滑および防水機能を強化し、履き心地を向上させ、防滑材質の変化によって異なる使い道に対応すると同時に、製造過程および構造の変更によって環境保全、リサイクルなどの現代機能を果たすことを主な目的とするものに関する。
【背景技術】
【０００２】
従来の防水防滑シューズは、例えば特許文献１に開示された「スパイク付き釣り用シューズ」のように、アウトソールと、スパイクユニットおよびアッパー用紐を備える。アウトソールは底部の所定部位に形成された複数の突起状滑り止めを有する。スパイクユニットはアウトソール内に埋まるように一体成型され、アウトソールの底面に突出し、高さがアウトソールの底部上の複数の突起状滑り止めの高さと一致する。アッパー用紐はアウトソールの頂面に連結される。その特徴は次の通りである。アウトソール内に埋まるように一体形成され、かつアウトソールの底面に突出したスパイクは先端部に複数の爪を有し、爪は外へ広がって伸びる。スパイクはシャフトおよびヘッド部にねじ山または凸歯を有するため、アウトソールの一体性を向上させることができる。アウトソールはスパイクが埋め込まれた区間上の適当な部位に複数の突起状滑り止めを有する。突起状滑り止めはアウトソールの底面に突起するように形成され、かつ高さがアウトソールの底面に突出したスパイクの高さと一致するため、スパイク付きシューズはスパイクのグリップ効果および摩擦防滑の特性を有する。
【０００３】
従来の防水防滑シューズは、スパイクユニットが靴底に点状に分布するため、水底または水面上、かつ凸凹のある石の上を歩行する際、足が滑るような事態が発生し、滑り止め効果を完全に果たすことができない。
【０００４】
スパイクユニットがアウトソールに埋め込まれた従来の防水・防滑シューズは、良好な履き心地を保持し、足裏感覚を把握するため、アウトソールが比較的薄い。スパイクユニットをアウトソールにしっかり安定させるために、アウトソールに埋め込まれた釘ユニットをＴ字型にしなければならない。しかしながら、アウトソールは非常に薄いため、歩行中に足裏がでこぼこし、不快な感じをするような状態が発生する。
【０００５】
防水防滑シューズのスパイクユニットはアウトソール内に埋まるように一体成型される。一旦破損すると捨てるしかないため、リサイクルおよび環境保全ができない。
本発明者は、上述した欠点に鑑み、多年の製造経験に基づいて研究、実験および改良を進めた結果、本発明を完成させた。
【先行技術文献】
【特許文献】
【０００６】
【特許文献１】台湾特許公開７８２５８号明細書
【発明の概要】
【発明が解決しようとする課題】
【０００７】
本発明は、多機能カジュアルシューズを提供することを主な目的とする。
【課題を解決するための手段】
【０００８】
本願発明による多機能カジュアルシューズは、滑り止めユニット、係止ユニット、周囲縁部、保護体、アッパー、および、アウトソールを備える。滑り止めユニットは、適切な部位にスリットを有し、スリットは両端に抑制部を有する。係止ユニットは、滑り止めユニットの前記スリット内に嵌め込まれており、係止部よび制限部を有する。周囲縁部は、側縁に形成されているリブ、および、底部に形成されている複数の溝孔を有する。保護体は、周囲縁部の上方に配置されている。アッパーは、用途および機能に基づいて高さが調整可能であり、滑り止めユニット、係止ユニット、および、保護体が装着されている周囲縁部と結合している。アウトソールは、作業台を利用してアッパーおよび周囲縁部の表面に熱溶融性材料を被せることによって一体形成され、かつ滑り止めユニットおよび係止ユニットを底部に突出させる。
【０００９】
多機能カジュアルシューズは、交差して配置された滑り止めユニットおよび片状係止ユニットと、保護体と周囲縁部とによって滑り止めのグリップ効果および履き心地を向上させ、使用寿命を伸ばすことができるだけでなく、リサイクルおよび環境保全効果を果たすことができる。
【図面の簡単な説明】
【００１０】
【図１】本発明の一実施形態による多機能カジュアルシューズを示す分解斜視図である。
【図２】本発明の一実施形態による多機能カジュアルシューズを示す模式図である。
【図３】本発明の一実施形態による多機能カジュアルシューズの使用状態を示す断面図である。
【図４】本発明の一実施形態による多機能カジュアルシューズの使用状態を示す断面図である。
【図５】本発明の他の実施形態による多機能カジュアルシューズを示す断面図である。
【発明を実施するための形態】
【００１１】
（一実施形態）
図１から図５に示すように、本発明の一実施形態による多機能カジュアルシューズは、滑り止めユニット１、係止ユニット２、周囲縁部３、保護体４、アッパー５およびアウトソール６を備える。滑り止めユニット１は、滑り止め効果のある軟性材質から構成され、その上に満遍なく分布した複数のスリット１１を有する。スリット１１は両端に抑制部１２を有する。係止ユニット２はスリット１１内に嵌め込まれる。抑制部１２は係止ユニット２をスリット１１から落下させないように制限する。
【００１２】
係止ユニット２は、剛性材料から構成され、片状かつ凸字型を呈し、かつ係止部２１および制限部２２を有する。係止ユニット２が滑り止めユニット１のスリット１１に嵌め込まれる際、係止部２１の底縁部２１１および滑り止めユニット１の底面１３は同じ水平面に位置する。制限部２２は滑り止めユニット１の抑制部１２に係止され、かつ両端が抑制部１２の外側に突出する。つまり、係止ユニット２の全体の幅は滑り止めユニット１の全体の幅より大きいため、係止ユニット２は滑り止めユニット１のスリット１１から落下することがない。
【００１３】
取り巻き体３は、凹字型を呈し、かつ側縁を囲んだリブ３１と、リブ３１に形成された孔３１１と、底部３２に形成された複数の溝孔３３とを有する。溝孔３３は内縁面積が滑り止めユニット１の外縁面積と同じである。組み立てが完了した滑り止めユニット１および係止ユニット２は溝孔３３内に装着される。係止ユニット２の両側の制限部２２は滑り止めユニット１の抑制部１２の外側に突出するため、組み立てが完了した滑り止めユニット１および係止ユニット２は取り巻き体３の溝孔３３に制限され、かつ溝孔３３から逸脱し、取り巻き体３の底面に突出することがない。
【００１４】
保護体４は、取り巻き体３の奥へ凹んだ底部３２に射出成型によって配置され、かつ取り巻き体３の底部３２に突出した滑り止めユニット１および係止ユニット２の頂部を完全に遮蔽する。
【００１５】
アッパー５は、使い道および機能によって高さが決められる。取り巻き体３に滑り止めユニット１および係止ユニット２を装着した後、取り巻き体３の奥へ凹んだ底部３２に射出成型によって保護体４を分布させ、そののちアッパー５と取り巻き体３とを結合させることによってその間に空間を形成する。続いて、縫合、熱プレス加工、接着などの組み合わせ工程が完了した後、作業台によってアッパー５および取り巻き体３の表面に熱溶融性材料を被せるように一体成形すると同時にその空間内部に熱溶融性材料を充満させ、かつ滑り止めユニットおよび係止ユニットをアウトソールの底部に突出させる。
【００１６】
アウトソール６は、射出成形によって形成される。アウトソール６の範囲はアッパー５全体またはアッパー５の下方周縁のみである。滑り止めユニット１および係止ユニット２の下方縁部はアウトソール６の底面に突出する。
【００１７】
上述した工程によって製造されたシューズが使用される前、靴底に位置する滑り止めユニット１および係止ユニット２は底部が同じ水平面に位置する。つまり係止ユニット２は滑り止めユニット１に埋め込まれる。使用時にユーザーの脚が下に踏み込むと、軟性材質から構成された滑り止めユニット１は下向きの外力を受けた上で圧縮され、上に反発する。それに対し、剛性材質から構成された係止ユニット２は滑り止めユニット１の外側に突出するため、係止固定効果を果たすことができる。一方、滑り止めユニット１の滑り止め効果によって滑り止めおよびグリップ効果を果たすことができる。一方、係止ユニット２は点状でなく、片状に分布するため、形が不均整な路面または石にも拘らず、同じ水平方向区域には少なくとも二箇所または三箇所の接触点を有する。かつ点状に配置する方式よりも、複数列に配置する方式はグリップ効果が非常によい。
【００１８】
アッパー５は、底部と係止ユニット２の頂部との間に非常に厚い保護体４を有する。ユーザーが力を入れる際、剛性の係止ユニット２は足裏に不快感を与えることがない。
【００１９】
図６に示したのは本発明の別の一実施形態である。上述した実施形態との違いは次の通りである。保護体４はアウトソール６および取り巻き体３の内側面のサイズによってあらかじめ製造される。保護体４は下方部位４１の適当な部位に形成された複数の突起柱４２を有する。突起柱４２は前端に突起部４２１を有する。つまり突起柱４２は立体の凸字型を呈する。取り巻き体３の奥へ凹んだ底部３２は突起柱４２に対応する部位に複数の係止孔３２１を有する。
【００２０】
本実施形態は、滑り止めユニット１のスリット１１内かつ取り巻き体３の溝孔３３内に係止ユニット２を嵌め込んだ後、取り巻き体３の奥へ凹んだ部位に保護体４を入れ、取り巻き体３の係止孔３２１に保護体４の突起柱４２を差し込み、かつ取り巻き体３の底面によって突起柱４２の突起部４２１を制限するため、射出加工によってアッパー５と取り巻き体３とを結合させる工程を一回省けば型の製作費を削減することができ、かつ保護体４が乾燥して形になるまでの時間を省くことなく、製造効率および生産能力を向上させることができる。
【００２１】
保護体４および取り巻き体３は凸凹嵌合によって結合する。係止ユニット２または滑り止めユニット１が破損したとき、取り巻き体３の係止孔３２１と保護体４の突起柱４２とを分離させれば、係止ユニット２または滑り止めユニット１の取り替えを行い、メンテナンス、リサイクル、省エネルギーおよび環境保全の目的を達成することができる。
【００２２】
上述したとおり、本発明による多機能カジュアルシューズは、構造が革新的で効果が抜群であり、かつ刊行物または市場の既存製品により公開されたことがなく、この技術を熟知した人に簡単に思い付かれるものではないため、新規性の特許要件を満たすと考えられる。
【００２３】
一方、本発明の構造変更は提示した図面に限定されない。本発明の基礎原理に基づいた上で付属品を簡単に入れ替えるか増やし、同じ効果かそれに近い効果を達成することは本発明の請求範囲に属すべきである。一方、本発明の達成できる進歩性および産業上の利用性は業界において及ぶものがないため、特許請求の要件を満たし、法に従って特許請求を申請する。
【符号の説明】
【００２４】
１：滑り止めユニット、  
１１：スリット、  
１２：抑制部、  
１３：底面、  
２：係止ユニット、  
２１：係止部、  
２２：制限部、  
２１１：底縁部、  
３：取り巻き体、  
３１：リブ、  
３１１：孔、  
３２：底部、  
３２１：係止孔、  
３３：溝孔、  
４：保護体、  
５：アッパー、  
６：アウトソール、  
４２：突起柱、  
４２１：突起部。
【図１】
2014502549.tif 000003
【図２】
2014502549.tif 000004
【図３】
2014502549.tif 000005
【図４】
2014502549.tif 000006
【図５】
2014502549.tif 000007
【国際調査報告】
2014502549.tif 000008
2014502549.tif 000009
2014502549.tif 000010
2014502549.tif 000011